(57)【要約】  【課題】商品を購入する場合に、商品見本パネルの照明手段の動作を変化させる自動販売機の制御装置を提供する。  【解決手段】販売可能判定手段２１の判定に基づき、商品展示スペース照明制御手段２２にて、商品展示スペースの照明を制御することにより、入金等により、販売可能な商品に該当する商品見本パネルを照明することで明るくし、販売可能でない商品に該当する前記商品見本パネルは照明しないことで暗くし、顧客にどの商品が購入できるかをアピールすることができる。【選択図】図１
2009042885.tif 000002
【特許請求の範囲】
【請求項１】
商品内容を表す商品見本パネルと、前記商品見本パネルを後方から照らす照明手段を有する商品展示スペースを備えた自動販売機において、投入金額や釣銭状態や商品状態等などにて販売可能かを判定する販売可能判定手段と、各商品に該当する前記商品展示スペースの照明を制御する商品展示スペース照明制御手段と、前記販売可能判定手段と前記商品展示スペース照明制御手段に接続された演算制御部を備え、前記演算制御部は、前記販売可能判定手段の判定に基づき、前記商品展示スペース照明手段にて、前記商品展示スペースの照明を制御することを特徴とした自動販売機。
【請求項２】
商品の売切れを判定する商品売切れ判定手段を備え、前記演算制御部は、前記商品売切れ判定手段の判定に基づき、前記商品展示スペース照明手段にて、該当の商品展示スペースの照明を制御することを特徴とした請求項１に記載の自動販売機。
【請求項３】
選択ボタンの先押しを判定する先押し判定手段を備え、前記演算制御部は、前記先押し判定手段の判定に基づき、前記商品展示スペース照明手段にて、該当の商品展示スペースの照明を制御することを特徴とした請求項１または２に記載の自動販売機。
【請求項４】
自動販売機の制御の設定変更や確認を行うリモコンと、前記リモコンの操作に応じて前記商品展示スペースの照明の動作を判定するリモコン操作判定手段を備え、前記演算制御部は、前記リモコン操作判定手段の判定に基づき、前記商品展示スペース照明手段にて、該当の商品展示スペースの照明を制御することを特徴とした請求項１から３のいずれか一項に記載の自動販売機。
【請求項５】
商品の搬出を判定する商品搬出判定手段を備え、前記演算制御部は、前記商品搬出判定手段の判定に基づき、前記商品展示スペース照明手段にて、該当の商品展示スペースの照明を制御することを特徴とした請求項１から４のいずれか一項に記載の自動販売機。
【発明の詳細な説明】
【技術分野】
【０００１】
本発明は、自動販売機の外扉の正面に配置する複数種の商品見本パネルを装備して、照明したい商品見本パネルを任意に照明できる自動販売機の制御装置に関するものである。
【背景技術】
【０００２】
近年、この種の自動販売機の表示装置は、集客性の向上を図るため、自動販売機を大型化にして、販売品種を増加させ、消費者の購買意欲を増加させることが要求されている。そのため、販売商品を分かり易く表示する方法として、販売商品の図又は写真を印刷した広告パネルを扉の正面に配置し、さらには蛍光灯等の照明装置により広告パネルを明るく光らせ、より視認性を高め、販売商品の理解を深めるようにしているものがある（例えば、特許文献１参照）。
【０００３】
また、照明手段として発光ダイオードを用い、任意の商品見本やポスターパネル等を強調して照明でき、照明したい箇所を効果的に照明できるものもある（例えば、特許文献２）。
【０００４】
以下、図面を参照しながら、従来の自動販売機について説明する。
【０００５】
図３は従来の自動販売機のディスプレイ装置を示すものである。
【０００６】
図において、自動販売機の前面をなす扉１１と、各商品の外観等が示されている商品見本パネル１２と、各商品見本パネル１２をセットでき照明手段にて照明する商品展示スペース１３と、販売可能ランプや売切れランプ等の商品関連ランプを内包し、商品を購入する際に押す選択ボタン１４と、硬貨等を投入したり投入金額を表示したりする顧客操作部１５と、選択した商品を取出す商品取出口１６とが設けられている。
【０００７】
各商品展示スペース１３に商品見本パネル１２がセットされており、顧客が顧客操作部１５にて入金し、販売が可能となった商品に該当する選択ボタン１４の販売可能ランプを点灯させ、顧客が選択ボタン１４を押した場合、該当する商品を商品取出口１６に搬出する。
【特許文献１】実開平３−６６４７６号公報
【特許文献２】特開２００２−３５８５６１号公報
【発明の開示】
【発明が解決しようとする課題】
【０００８】
しかしながら、前記従来の構成では、顧客が入金等を行って商品を買う場合でも商品見本パネルを照明したままであるため、商品見本パネル近傍にある販売可能ランプや売切れランプ等のランプ表示が見えにくく、また商品見本パネルが変わりばえせず、顧客へのアピールが少ないという課題を有していた。
【０００９】
本発明は、前記従来の課題を解決するもので、商品を購入する場合に、商品見本パネルの照明手段の動作を変化させる自動販売機の制御装置を提供することを目的とする。
【課題を解決するための手段】
【００１０】
前記従来の課題を解決するために、本発明の自動販売機の制御装置は、商品内容を表す商品見本パネルと、前記商品見本パネルを後方から照らす照明手段を有する商品展示スペースを備えた自動販売機において、投入金額や釣銭状態や商品状態等などにて販売可能かを判定する販売可能判定手段と、各商品に該当する前記商品展示スペースの照明を制御する商品展示スペース照明制御手段と、前記販売可能判定手段と前記商品展示スペース照明制御手段に接続された演算制御部を備え、前記演算制御部は、前記販売可能判定手段の判定に基づき、前記商品展示スペース照明制御手段にて、前記商品展示スペースの照明を制御するとしたものである。
【００１１】
これによって、入金等により、販売可能な商品に該当する前記商品見本パネルを照明することで明るくし、販売可能でない商品に該当する前記商品見本パネルを照明しないことで暗くし、顧客にどの商品が購入できるかをアピールすることができる。
【００１２】
また、本発明の自動販売機は、商品の売切れを判定する商品売切れ判定手段を備え、前記演算制御部は、前記商品売切れ判定手段の判定に基づき、前記商品展示スペース照明制御手段にて、該当の商品展示スペースの照明を制御するとしたものである。
【００１３】
これによって、売切れている商品に該当する前記商品見本パネルを照明しないことや照度を落とすことで暗くし、顧客にどの商品が売切れているかを知らしめることができる。
【００１４】
また、本発明の自動販売機は、選択ボタンの先押しを判定する先押し判定手段を備え、前記演算制御部は、前記先押し判定手段の判定に基づき、前記商品展示スペース照明制御手段にて、該当の商品展示スペースの照明を制御するとしたものである。
【００１５】
これによって、先押しされた商品に該当する前記商品見本パネルの照明を点滅することで、顧客にどの商品が先押しされたかを知らしめることができる。
【００１６】
また、本発明の自動販売機は、自動販売機の制御の設定変更や確認を行うリモコンと、前記リモコンの操作に応じて前記商品展示スペースの照明の動作を判定するリモコン操作判定手段を備え、前記演算制御部は、前記リモコン操作判定手段の判定に基づき、前記商品展示スペース照明制御手段にて、該当の商品展示スペースの照明を制御するとしたものである。
【００１７】
これによって、前記リモコンの操作に対応して、該当する前記商品見本パネルを照明することで明るくし、顧客にどの商品に対して操作しているのかを知らしめることができる。
【００１８】
また、本発明の自動販売機は、商品の搬出を判定する商品搬出判定手段を備え、前記演算制御部は、前記商品搬出判定手段の判定に基づき、前記商品展示スペース照明制御手段にて、該当の商品展示スペースの照明を制御するとしたものである。
【００１９】
これによって、選択された商品に該当する前記商品見本パネルのみ照明することで明るくし、顧客に購入した商品を知らしめたり、商品搬出にて顧客を待たせている場合、ランダムに前記商品見本パネルの照明を点滅することで、顧客に商品の搬出中を知らしめ、また搬出中の待ち時間を退屈させないことで好感度を上げることができる。
【発明の効果】
【００２０】
本発明の自動販売機は、待機状態や販売時、入金状態、商品の適温状態あるいは周囲の明暗状況に応じて、商品見本パネルを個別に照明制御できるので利用者への表示の仕方を変えることで省エネしながら、販売促進を図ることができる。
【発明を実施するための最良の形態】
【００２１】
請求項１の発明は、商品内容を表す商品見本パネルと、前記商品見本パネルを後方から照らす照明手段を有する商品展示スペースを備えた自動販売機において、投入金額や釣銭状態や商品状態等などにて販売可能かを判定する販売可能判定手段と、各商品に該当する前記商品展示スペースの照明を制御する商品展示スペース照明制御手段と、前記販売可能判定手段と前記商品展示スペース照明制御手段に接続された演算制御部を備え、前記演算制御部は、前記販売可能判定手段の判定に基づき、前記商品展示スペース照明制御手段にて、前記商品展示スペースの照明を制御することにより、入金等により、販売可能な商品に該当する前記商品見本パネルを照明することで明るくし、販売可能でない商品に該当する前記商品見本パネルを照明しないことで暗くし、顧客にどの商品が購入できるかをアピールすることができる。
【００２２】
請求項２の発明は、特に、請求項１に記載の発明に、さらに商品の売切れを判定する商品売切れ判定手段を備え、前記演算制御部は、前記商品売切れ判定手段の判定に基づき、前記商品展示スペース照明制御手段にて、該当の商品展示スペースの照明を制御することにより、売切れている商品に該当する前記商品見本パネルを照明しないことや照度を落とすことで暗くし、顧客にどの商品が売切れているかを知らしめることができる。
【００２３】
請求項３の発明は、特に、請求項２に記載の発明に、さらに選択ボタンの先押しを判定する先押し判定手段を備え、前記演算制御部は、前記先押し判定手段の判定に基づき、前記商品展示スペース照明制御手段にて、該当の商品展示スペースの照明を制御することにより、先押しされた商品に該当する前記商品見本パネルの照明を点滅することで、顧客にどの商品が先押しされたかを知らしめることができる。
【００２４】
請求項４の発明は、特に、請求項１から３のいずれか一項に記載の発明に、さらに、自動販売機の制御の設定変更や確認を行うリモコンと、前記リモコンの操作に応じて前記商品展示スペースの照明の動作を判定するリモコン操作判定手段を備え、前記演算制御部は、前記リモコン操作判定手段の判定に基づき、前記商品展示スペース照明制御手段にて、該当の商品展示スペースの照明を制御することにより、前記リモコンの操作に対応して、該当する前記商品見本パネルを照明することで明るくし、顧客にどの商品に対して操作しているのかを知らしめることができる。
【００２５】
請求項５の発明は、特に、請求項１から４のいずれか一項に記載の発明に、さらに、商品の搬出を判定する商品搬出判定手段を備え、前記演算制御部は、前記商品搬出判定手段の判定に基づき、前記商品展示スペース照明制御手段にて、該当の商品展示スペースの照明を制御することにより、選択された商品に該当する前記商品見本パネルのみ照明することで明るくし、顧客に購入した商品を知らしめたり、商品搬出にて顧客を待たせている場合、ランダムに前記商品見本パネルの照明を点滅することで、顧客に商品の搬出中を知らしめ、また搬出中の待ち時間を退屈させないことで好感度を上げることができる。
【００２６】
以下、本発明の実施の形態について、図面を参照しながら説明するが、従来例と同一構成については同一符号を付して、その詳細な説明は省略する。なお、この実施の形態によってこの発明が限定されるものではない。
【００２７】
（実施の形態１）
図１は本発明の実施の形態１における自動販売機の制御装置の機能ブロック図である。図２は、同実施の形態の動作を示すフローチャートである。
【００２８】
図１において、販売可能判定手段２１は、投入金額や釣銭状態や商品状態等などにて販売可能かを判定する。商品展示スペース照明制御手段２２は、商品見本パネル１２を後方から照らす照明手段に対して各々に点灯、消灯、点滅、減光といった制御を行う。尚、照明手段には発光ダイオードが用いられ、１つの商品見本パネル１２の後方には複数個の発光ダイオードが設置されている。そして商品見本パネル１２は透光性フィルムなので、利用者から商品パネル１２全体が光るように構成されている。また隣り合う商品見本パネルは光がもれないように区画形成されており、商品見本パネル後方の光が漏れて隣の商品見本パネルを照らすことがないように構成されている。
【００２９】
また複数個の色の異なる発光ダイオードが１つの商品見本パネル１２の後方に配置されているので、販売待機時に点灯あるいは点滅をして利用者にアピールする場合と、売り切れ時に点灯させる場合や、適温に冷却または加温されるまで販売を見合わせる場合、投入金額に対して販売できる価格帯の商品のみを点灯または点滅させる場合、投入金銭に対して商品が選択された場合に払い出す釣銭が可能の商品の商品見本パネル１２のみを点灯または点滅させるなど商品見本パネルを個別に照明制御でき、また用途別に点灯あるいは点滅させる発光ダイオードの色を変えているので、利用者に販売促進でき、商品選択時の操作をスムーズに行うことができ、また利用者は遠くからでも識別することができる。
【００３０】
販売可能判定手段２１は個々の商品見本パネル１２ごとに照明を行うかどうかの判定をして、商品サンプルを表示する商品見本パネル１２を個別に点灯や点滅、消灯などを行うことができる。
【００３１】
商品売切れ判定手段２３は、商品の売切れ検知にて商品の有無を判定する。先押し判定手段２４は、入金よりも前に選択ボタン１４が押されたかを判定する。リモコン２５は、自動販売機の制御の設定変更や確認を行う。リモコン操作判定手段２６は、リモコン２５の操作内容に応じて商品見本パネル１２を照明することを判定する。商品搬出判定手段２７は、商品が搬出中かを判定する。
【００３２】
演算制御部２８は、リモコン操作判定手段２６にて、リモコン操作に応じて商品見本パネル１２を照明すると判定された場合、該当の商品見本パネル１２を商品展示スペース照明制御手段２２にて点灯で照明する。尚、点灯以外に消灯や点滅や減光させることでもよい。
【００３３】
また、販売待機状態では省エネのために商品見本パネル１２は全部消灯あるいは、ランダムに点灯点滅を繰り返している。この状態で、先押し判定手段２４にて、商品選択ボタン１４を操作して先押しと判定された場合、先押しされた商品見本パネル１２を商品展示スペース照明制御手段２２にて点滅で照明する。また、商品売切れ判定手段２３にて、売切れと判定された場合、売切れの商品見本パネル１２を商品展示スペース照明制御手段２２にて照明を消灯する。尚、消灯以外に減光させることでもよい。この場合、先押ししても点灯や点滅制御されない。また利用者の操作性を簡単にするために、あらかじめ売切れ表示を点灯させていてもよい。そして貨幣を投入または電子マネーを設置されたリーダライターに近接し、販売可能判定手段２１にて販売可能と判定された場合、該当の商品見本パネル１２を商品展示スペース照明制御手段２２にて点灯で照明する。また、商品搬出判定手段２７にて、商品が搬出中と判定された場合、該当の商品見本パネル１２のみを商品展示スペース照明制御手段２２にて点灯で照明する。尚、ランダムに商品見本パネル１２を選択し、点灯あるいは点滅を繰返しイルミネーションの様に照明してもよい。
【００３４】
以上のように構成された自動販売機の制御装置について、以下その動作を図２のフローチャートをもとにして説明する。
【００３５】
まず、演算制御部２８は、リモコン操作判定手段２６にて、自動販売機に付属しているリモコン２５の操作に応じて、商品見本パネル１２を照明すべきか否かを判定する。ここでの操作は、価格設定であるとか、商品別の売上確認であるとか、顧客に対して商品見本パネル１２を照明にて知らしめた方が、効率がよくなる操作が対象となる（ＳＴＥＰ１）。
【００３６】
リモコン操作判定手段２６にて、照明すべきと判定された商品見本パネル１２を、商品展示スペース照明制御手段２２にて照明する。尚、操作内容によって、照明の仕方は、点灯、点滅、減光のいずれかを選択して行う（ＳＴＥＰ２）。選択ボタン１４の先押し判定手段２４にて、先押しがなされたか否かを判定する（ＳＴＥＰ３）。先押し判定手段２４にて、照明すべきと判定された商品見本パネル１２を、商品展示スペース照明制御手段２２にて点滅にて照明する（ＳＴＥＰ４）。商品売切れ判定手段２３にて、売切れか否かを判定する（ＳＴＥＰ５）。商品売切れ判定手段２３にて、売切れと判定された商品見本パネル１２を、商品展示スペース照明制御手段２２にて照明しない。または、あらかじめ売切れ表示を常に点灯させることで利用者の無駄な操作を無くすことができる。
【００３７】
尚、商品展示スペース照明制御手段２２にて減光にて照明してもよい（ＳＴＥＰ６）。販売可能判定手段２１では、貨幣や電子マネーによって入金等が行われ、販売可能になったか否かを判定する（ＳＴＥＰ７）。販売可能判定手段２１にて、販売可能に判定された商品見本パネル１２を、商品展示スペース照明制御手段２２にて点灯にて照明する。尚、商品展示スペース照明制御手段２２にて減光と点灯を繰返しながら照明してもよい（ＳＴＥＰ８）。商品搬出判定手段２７にて、商品が搬出されたか否かを判定する（ＳＴＥＰ９）。
【００３８】
商品搬出判定手段２７にて、商品が搬出されていると判定された商品見本パネル１２を、商品展示スペース照明制御手段２２にて点灯にて照明する。尚、ランダムに商品見本パネル１２を選択して、商品展示スペース照明制御手段２２にて減光と点灯と点滅を繰返しながらイルミネーションの様に照明してもよい（ＳＴＥＰ１０）。
【００３９】
以上のように本実施の形態１の自動販売機の制御装置によれば、販売可能判定手段２１の判定に基づき、商品展示スペース照明制御手段２２にて、商品展示スペース１３の照明を制御することにより、入金等により、販売可能な商品に該当する商品見本パネル１２を照明することで明るくし、販売可能でない商品に該当する前記商品見本パネルは照明しないことで暗くし、顧客にどの商品が購入できるかをアピールすることができる。
【００４０】
また、商品売切れ判定手段２３の判定に基づき、商品展示スペース照明制御手段２２にて、該当の商品展示スペース１３の照明を制御することにより、売切れている商品に該当する商品見本パネル１２を照明しないことや照度を落とすことで暗くし、顧客にどの商品が売切れているかを知らしめることができる。
【００４１】
また、先押し判定手段２４の判定に基づき商品展示スペース照明制御手段２２にて、該当の商品展示スペース１３の照明を制御することにより、先押しされた商品に該当する商品見本パネル１２の照明を点滅することで、顧客にどの商品が先押しされたかを知らしめることができる。
【００４２】
また、リモコン操作判定手段２６の判定に基づき商品展示スペース照明制御手段２２にて、該当の商品展示スペース１３の照明を制御することにより、リモコン２５の操作に対応して、該当する商品見本パネル１２を照明することで明るくし、顧客にどの商品に対して操作しているのかを知らしめることができる。
【００４３】
また、商品搬出判定手段２７の判定に基づき商品展示スペース照明制御手段２２にて、該当の商品展示スペース１３の照明を制御することにより、選択された商品に該当する商品見本パネル１２のみ照明することで明るくし、顧客に購入した商品を知らしめたり、商品搬出にて顧客を待たせている場合、ランダムに商品見本パネル１２の照明を点滅することで、顧客に商品の搬出中を知らしめ、また搬出中の待ち時間を退屈させないことで好感度を上げることができる。
【産業上の利用可能性】
【００４４】
以上のように、本発明にかかる自動販売機は、待機状態や販売時、入金状態、商品の適温状態あるいは周囲の明暗状況に応じて、商品見本パネルを個別に照明制御できるのであらゆる自動販売機に適用することができる。
【図面の簡単な説明】
【００４５】
【図１】本発明の実施の形態１における自動販売機の制御装置の機能ブロック図
【図２】同実施の形態の自動販売機の制御装置の動作を示すフローチャート
【図３】従来の自動販売機の正面図
【符号の説明】
【００４６】
１２  商品見本パネル
１３  商品展示スペース
１４  選択ボタン
２１  販売可能判定手段
２２  商品展示スペース照明制御手段
２３  商品売切れ判定手段
２４  先押し判定手段
２５  リモコン
２６  リモコン操作判定手段
２７  商品搬出判定手段
２８  演算制御部
【図１】
2009042885.tif 000003
【図２】
2009042885.tif 000004
【図３】
2009042885.tif 000005